(57)【特許請求の範囲】
【請求項１】
導電性部材にて中空長尺状に形成されたケース本体内に複数の絶縁被覆導体を収容するバスダクトユニットを複数本連結し、連結した接続部分を接続部カバー部材により覆うことによってバスダクト線路を形成し、かつ前記ケース本体相互を電気的に接続し、前記ケース本体と前記接続部カバー部材とを電気的に接続したアース構造を有するバスダクト接地構造において、
前記アース構造は、一方側が前記ケース本体に電気的導通状態を得るように取り付けられ、他方側が前記一方側を取り付けた状態で前記接続部カバー部材を装着した際にその非塗装面と接触し電気的導通状態となる構成を有するアタッチメントを備えたことを特徴とするバスダクト接地構造。
【請求項２】
前記アタッチメントは、一方側が前記ケース本体に電気的導通状態を得るように嵌着され、他方側が前記一方側の嵌着状態で前記接続部カバー部材を装着した際にその非塗装面と接触し電気的導通状態となることを特徴とする請求項１に記載のバスダクト接地構造。
【請求項３】
前記アタッチメントの嵌着は、前記アタッチメントの一方側が前記ケース本体の対向する内側面間に挟持されることにより行われることを特徴とする請求項２に記載のバスダクト接地構造。
【請求項４】
前記ケース本体は、前記ケース本体の側端部に付加形成された中空構造を有する補強部を有しており、前記アタッチメントの嵌着は、前記アタッチメントの一方側が前記補強部内の対向する内側面間に挟持されることにより行われることを特徴とする請求項２又は３に記載のバスダクト接地構造。
【請求項５】
前記ケース本体は、前記絶縁被覆導体を積層して挟持するダクト側板と、該ダクト側板の間に亘って前記絶縁被覆導体の側方より支持するスペーサと、前記絶縁被覆導体の側方を覆うダクト上下板とからなり、該ダクト上下板と前記スペーサとの間に空間部を有しており、前記アタッチメントの嵌着は、前記アタッチメントの一方側が前記空間部内の対向するダクト側板間に挟持されることにより行われることを特徴とする請求項２又は３に記載のバスダクト接地構造。
【請求項６】
前記嵌着されるアタッチメントの一方側は、前記対向する内側面と接触する接触部分に略鋸刃形状の突起部を具備していることを特徴とする請求項２〜５に記載のバスダクト接地構造。
【請求項７】
前記嵌着されるアタッチメントの一方側は、前記アタッチメントの一方側の先端から基端方向に切り欠かれた切り欠き部が前記対向する内側面間を分割するように設けられていることを特徴とする請求項２〜６に記載のバスダクト接地構造。
【請求項８】
前記嵌着されるアタッチメントの一方側は、前記スペーサと一体型に形成されていることを特徴とする請求項５に記載のバスダクト接地構造。
【発明の詳細な説明】
【０００１】
【発明の属する技術分野】
本発明は、バスダクト接地構造に関し、特にバスダクトユニットの接続部における接続部カバー部材のケースアースを行うバスダクト接地構造に関する。
【０００２】
【従来の技術】
バスダクトは、一般に平板状の電気導体を電気絶縁層で被覆した複数の絶縁被覆導体を積層してバスダクトのケース本体内に収容することにより構成されている。このように構成される単位長さを有するバスダクト（以下、単に「バスダクトユニット」という）を複数接続してバスダクト線路を形成するバスダクト接地構造は、複数のケーブルを束ねて配線する配線システムに比べて火災等の発生防止や漏洩磁束防止等に極めて優れた機能を有することから、工場施設やビル等における主電力供給ライン等に広く用いられている。
【０００３】
そして、大容量のバスダクトを電気幹線として設置する場合は、電気的安全性を確保するためにアースする必要があり、従来よりバスダクトはケース本体をアースラインの一部として用いている。
【０００４】
また、バスダクトユニット相互間の接続部分には、絶縁被覆導体の接続部分の露出を防止するために接続部カバー部材が設けられており、接続部カバー部材についても電気的安全性を確保するためにアースする必要がある。
【０００５】
しかしながら、ケース本体は、防錆用にその表面に塗装がなされているために、単に接続部カバー部材を装着しただけでは、両者間の導電性は確保できず、接続部カバー部材のアース接続を行うことは困難であった。そこで、係る課題を解決するために従来より種々の方法が提案されている。
【０００６】
図２０は、従来の実施の形態におけるバスダクトのケース本体と接続部カバー部材との接続を概略的に示す分解説明図である。バスダクトユニット１００は、図示したように、絶縁被覆導体１１０を重畳的に積層してダクト側面板１２３により挟持し、絶縁被覆導体１１０の側方にダクト上面板１２１、ダクト下面板１２２を設けることにより構成されている。
【０００７】
このダクト上面板１２１、ダクト下面板１２２、ダクト側面板１２３により構成されるケース本体１２０と接続部カバー部材１３０とは、例えば金属板等の導電性板材により構成されており、これらの表側面には防錆のための塗装が施されているが、接続部カバー部材１３０とダクト上面板１２１及びダクト下面板１２２とが電気的に接続する部分を確保するために、ダクトケース上面板１２１及びダクト下面板１２２と接続部カバー部材１３０とが重合する部分は、テープ、マグネット等を用いたマスキング塗装により非塗装面部分を形成し、金属素地部分１２４、１３１を形成している。
【０００８】
そして、接続部カバー部材１３０を装着することにより金属素地部分１２４、１３１を重合させて電気的に接続し、接続部カバー部材１３０のアース接続を行っている。
【０００９】
また、実公昭５１−４０４８０号公報には、導電性短絡部材であるアースボンドを接続部カバー部材側に設けて、バスダクトの導電性を良好に接続する手段が示され、特公昭６３−６１８４１号公報には、接続部カバー部材側とバスダクトケース側の双方に導電部材を設けてバスダクトの導電性を良好に接続する手段が示されている。これらの手段によって、接続部カバー部材のケースアース接続を行っている。
【００１０】
【発明が解決しようとする課題】
しかしながら、マスキング塗装による金属素地の導電部の形成は、マスキングの取付及び除去に非常に手間がかかり、作業能率が悪く、コスト高となる。また、実公昭５１−４０４８０号公報に記載された手段は、接続部カバー部材側に別部材であるアースボンドを鳩目金具等の固定具により固定する等して予め設けておかなければならず、作業効率が悪く、コスト高を招来する。同様に、特公昭６３−６１８４１号公報に記載された手段も、接続カバー部材側及びバスダクトカバー側の双方に接地導電部を設けなければならず、作業効率が悪く、コスト高を招来する。
【００１１】
本発明はこのような点に鑑みてなされたものであり、その目的は、バスダクトユニット相互の接続部分に形成される開口部を覆い閉鎖する接続部カバー部材のケースアースを極めて容易に行い、かつ電気的安全性を有するバスダクト接地構造を提供することである。
【００１２】
【課題を解決するための手段】
上記目的を達成するため、本発明の請求項１にかかるバスダクト接地構造は、アース構造は、一方側がケース本体に電気的導通状態を得るように取り付けられ、他方側が一方側を取り付けた状態で接続部カバー部材を装着した際にその非塗装面と接触し電気的導通状態となる構成を有するアタッチメントを備える。この構成によれば、アタッチメントの一方側はバスダクトのケース本体に取り付けることによりケース本体と電気的に接続され、アタッチメントの他方側はアタッチメントが取り付けられた状態で接続部カバー部材を装着することにより、接続部カバー部材の非塗装面と接触して電気的に接続される。これにより、アタッチメントは、ケース本体と接続部カバー部材との間のアース端子の役割を果たし、接続部カバー部材のケースアースを確実に取ることができる。また、接続部カバー部材のケースアースを行うために従来より行われていたケース本体側のマスキング塗装を排除することができ、容易に接続部カバー部材のケースアースを確保することができる。
【００１３】
請求項２にかかるバスダクト接地構造は、アタッチメントは、一方側がケース本体に電気的導通状態を得るように嵌着され、他方側が一方側の嵌着状態で接続部カバー部材を装着した際にその非塗装面と接触し電気的導通状態となる。この構成によれば、アタッチメントの一方側はバスダクトのケース本体に嵌着することによりケース本体と電気的に接続され、アタッチメントの他方側はアタッチメントが嵌着された状態で接続部カバー部材を装着することにより、接続部カバー部材の非塗装面と接触して電気的に接続される。
【００１４】
これにより、アタッチメントは、ケース本体と接続部カバー部材との間のアース端子の役割を果たし、接続部カバー部材のケースアースを確実に取ることができる。また、接続部カバー部材のケースアースを行うために従来より行われていたケース本体側のマスキング塗装を排除することができ、容易に接続部カバー部材のケースアースを確保することができる。
【００１５】
請求項３にかかるバスダクト接地構造は、アタッチメントの嵌着は、アタッチメントの一方側がケース本体の対向する内側面間に挟持されることにより行われる。したがって、請求項１の作用と同様にアタッチメントの嵌着を容易に行うことができ、接続部カバー部材のケースアースを確実に取ることができる。
【００１６】
請求項４にかかるバスダクト接地構造は、ケース本体は、ケース本体の側端部に中空構造を有する補強部が付加形成されており、アタッチメントの嵌着は、補強部内の対向する内側面間に挟持されることにより行われる。したがって、このような補強部を有するケース本体にも、上記アタッチメントを用いて、容易に接続部カバー部材のケースアースを取ることができる。
【００１７】
請求項５にかかるバスダクト接地構造は、ケース本体は、絶縁被覆導体を積層して挟持するダクト側板と、ダクト側板の間に亘って絶縁被覆導体の側方より支持するスペーサと、絶縁被覆導体の側方を覆うダクト上下板とにより構成されており、ダクト上下板と前記スペーサとの間には空間部が設けられている。そして、アタッチメントの嵌着は、アタッチメントの一方側が空間部内の対向するダクト側板間に挟持されることにより行われる。したがって、上述の構成を有するケース本体にも、上記アタッチメントを用いることができ、容易に接続部カバー部材のケースアースを取ることができる。
【００１８】
請求項６にかかるバスダクト接地構造は、嵌着されるアタッチメントの一方側は、対向する内側面と接触する接触部分に略鋸刃形状の突起部を具備している。したがって、この突起部を形成したことにより嵌着されたアタッチメントを抜けにくくすることができる。また、対向する内側面が塗装されていたとしても、アタッチメントを圧入して嵌着した場合に、突起部により塗装皮膜は削り取られ、ケース本体と電気的に接続状態とすることができる。
【００１９】
請求項７にかかるバスダクト接地構造は、嵌着されるアタッチメントの一方側には、対向する内側面間にアタッチメントの一方側の先端から基端方向に切り欠かれた切り欠き部が設けられている。したがって、アタッチメントの嵌着される部分は、切欠部によって対向する内側面間の方向にばね作用を有し、アタッチメントを抜けにくくすることができる。
【００２０】
請求項８にかかるバスダクト接地構造は、ダクト上下板とスペーサとの間に形成された空間部内の対向するダクト側板間に挟持されるアタッチメントの一方側を、スペーサと一体型に形成している。したがって、上記作用に加えて、部品点数を削減することができ、組立工数の減少によるコスト低減を図ることができる。
【００２１】
【発明の実施の形態】
以下、本発明にかかる第１の実施の形態について説明する。
【００２２】
図１は、本実施の形態にて用いられるバスダクトの単体（以下、単に「バスダクトユニット」という）１０の断面説明図であり、バスダクトユニット１０は、例えば断面矩形あるいは隅丸矩形の平板状でアルミニウム或いは銅等からなる電気導体１１をポリエステルシート等の電気絶縁層１２で被覆した絶縁被覆導体１３と、複数本（本実施の形態では３本）の絶縁被覆導体１３を重畳的に積層して収容保持するバスダクトケース２０とを有している。
【００２３】
バスダクトケース２０は、同一断面型で相対向する一対のケース半体２１による２分割体によって形成される。各ケース半体２１は、断面コ字型の収納凹部２２と、この収容凹部２２の開口部両端に沿って互いに離反するように延設される所定幅のフランジ部２３、２４及びフランジ部２３、２４の外側端縁に沿って付加形成される補強部２５、２６を有している。
【００２４】
補強部２５、２６は、互いに接合するフランジ部２３、２４に互いに離反するように外方に延設する第１補強部２５ａ、２６ａと第１補強部２５ａ、２６ａの外側端から互いに対峙するようにフランジ部２３、２４と略平行に延設される第２補強部２５ｂ、２６ｂと、第２補強部２５ｂ、２６ｂの端部に互いに近接するように延設される第３補強部２５ｃ、２６ｃとからなる断面略Ｕ字状乃至コ字状であって、これら対向する補強部２５及び２６との共同によってバスダクトケース２０の両側縁に沿って一対の略矩形閉断面形状をなす空間部２８を形成するように構成されている。
【００２５】
一方の補強部２５を形成する第３補強部２５ｃの内側端部には他方の補強部２６を形成する第３補強部２６ｃの内側端縁２７ａの板厚に相応する段差寸法を有して補強部２５、２６内に形成される階段状の段差部２７ｂを有し、これら内側端縁２７ａと段差部２７ｂとの係合により互いの第３補強部２５ｃ及び２６ｃの内側端部を連結する係合部２７を構成している。
【００２６】
そして、係合部２７の内側端縁２７ａと段差部２７ｂとを嵌合することにより互いに接合する第３補強部２５ｃと２６ｃとの外表面が平坦に連続し、かつ対向する両ケース半体２１の相対移動が規制されて両ケース半体２１の相対位置決めがなされる。また、バスダクトケース２０は、互いに対向するケース半体２１の接合するフランジ部２３及び２４を結合する緊締部材、例えばリベット等の結合手段２９を有している。この結合手段２９は、フランジ部２３、２４に貫通穴を設けて、ボルトとナットによりフランジ部２３、２４を締め付け固定しても良い。
【００２７】
図２は、バスダクト線路を形成するために行われるバスダクトユニット１０相互の接続方法を説明するための分解斜視図、図３は、バスダクトケース２０の端縁部２０ａにアタッチメント４０を取付ける状態を示す斜視図である。図４は、アタッチメント４０が端縁部２０ａに嵌着されたバスダクトユニット１０の状態を示す斜視図、図５は、図４に示したバスダクトユニット１０を平面側より概略的に示した平面説明図、図６は、図４に示したバスダクトユニット１０を正面側より概略的に示した正面説明図である。
【００２８】
また、図７は、図５に示したバスダクトユニット１０の接続部分を拡大して示した要部破断説明図、図８は、バスダクトケースへのアタッチメントの嵌着状態を示した図７のＡ−Ａ線矢視部の断面説明図、図９は、バスダクトケースへのアタッチメントの嵌着状態を示した図７のＢ−Ｂ線矢視部の断面説明図である。
【００２９】
バスダクトユニット１０は、図示したように、バスダクトケース２０の端縁部２０ａより絶縁被覆導体１３が延出しており、絶縁被覆導体１３の端部は導体１１が絶縁被覆１２から露出している。また、バスダクトケース２０の端縁部２０ａの近傍には、２枚の対向する導電性の側板１４が設けられており、側板１４は内側面１４ａに金属素地露出部分（図示せず）が形成されている。
【００３０】
また、図２に示したように、バスダクトユニット１０の接続端部１０ａ相互を接続する接続ユニット３０は、両外側に設けられた導電性の接続側板３１と、その間に４つの絶縁セパレータ３２と、絶縁セパレータ３２の両側面に配設された導電性接続板３３（図示せず）と、一方の接続側板３１の外側面３１ａからその中央を一括で貫通する絶縁被覆付ボルト３４と、他方の接続側板３１の外側面３１ａにて絶縁被覆付ボルト３４と螺合するナット３５とを有している。
【００３１】
また、接続側板３１には、その外側面３１ａで側板１４の内側面１４ａと重合する部分に金属素地露出部分（図示せず）が設けられており、絶縁被覆付ボルト３４を締め付けることにより、側板１４の内側面１４ａと接続ユニット３０の接続側板３１の外側面３１ａとの金属素地露出部分は電気的に接続される構造となっている。
【００３２】
したがって、接続ユニット３０を介してバスダクトユニット１０相互を接続することによってバスダクトケース２０のアース接続が行われる。
【００３３】
接続部カバー部材５０は、導電性部材により構成されており、バスダクトユニット１０が接続ユニット３０により接続固定された後にバスダクトユニット１０の接続位置に形成される接続空間部を覆う形状に形成されている。また、接続部カバー部材５０の裏面５２は、防錆塗装は施されておらず、金属素地が露出している。
【００３４】
本発明の特徴的な構成であるアタッチメント４０は導電性部材により構成されており、塗装は施されていない。また、図３、図６、図７及び図８に示したように、補強部２５、２６の第２補強部２５ｂ、２６ｂとの間に圧入嵌着される先端部４１と、端縁部２０ａよりバスダクトユニット１０相互の接続空間側に延出する頭部４２とを具備している。
【００３５】
アタッチメント４０の先端部４１は、図７に示したように、先端部４１の両側端面４１ａが、空間部２８内に嵌入時に第２補強部２５ｂ、２６ｂと接触する幅に形成されており、先端部４１の突端４１ｂは空間部２８内に先端部４１を嵌入する際の嵌入作業を容易にするべく、その横幅が狭くなるように鋭角に形成されている。
【００３６】
また、先端部４１は、図８に示したように、空間部２８内に嵌入した際に、先端部４１の一方の幅広面４１ｃと第３補強部２５ｃの内側端部に形成されている係合部２７の段差部２７ｂとが接触する厚みに形成されている。すなわち、先端部４１の幅は、空間部２８の第２補強部２５ｂ、２６ｂの間の距離と略同一であり、先端部４１の厚みは、空間部に入る厚さを具備している。
【００３７】
一方、アタッチメント４０の頭部４２は、図７に示したように、先端部４１の嵌入後に、アタッチメント４０が所定位置で停止するように先端部４１よりも幅広に形成されており、そのほぼ中央には接続部カバー部材５０との接合に用いられるネジ穴４３が穿設されている。
【００３８】
また、頭部４２は、図９に示したように、補強部２５、２６の端縁部２０ａより絶縁被覆導体１３と並行して延出しかつ接続部カバー部材５０と接合する側の上面４２ａが第３補強部２５ｃ、２６ｃの外表面とほぼ同一の面位置となるように形成され、アタッチメント４０は断面が略クランク形状となるように形成されている。
【００３９】
このように形成されたアタッチメント４０を補強部２５、２６の空間部２８内に圧入嵌着した場合に、先端部４１の両側端面４１ａは第２補強部２５ｂ、２６ｂと接触しながら嵌入される。これにより、補強部２５、２６内の空間部２８の内面２８ａが金属素地面である場合はもちろんのこと、内面２８ａに塗装が施されている場合にも、先端部４１の両側端面４１ａと第２補強部２５ｂ、２６ｂとが接触する部分の塗装皮膜は削り取られ、金属素地が露出して補強部２５、２６、すなわちバスダクトケース２０とアタッチメント４０とが電気的に接合することとなる。
【００４０】
次に、バスダクトユニット１０の接続工程について図１０〜図１３を用いて以下に説明する。図１０は、バスダクトユニット１０の接続端部１０ａに接続ユニット３０の一方を嵌合挿入する状態を示した斜視図、図１１は、図１０に示した接続ユニット３０の他方側にバスダクトユニット１０の接続端部１０ａを嵌合挿入する状態を示した斜視図、図１２は、接続部カバー部材５０を装着する状態を示した斜視図、図１３は、バスダクトユニット１０の接続を完了した状態を示した斜視図である。
【００４１】
まず最初に、接続ユニット３０を図１０中、矢印方向よりバスダクトユニット１０の接続端部１０ａに嵌合挿入する。すなわち、側板１４の内側に接続ユニット３０の接続側板３１を挿入すると共に、バスダクトユニット１０より延出する３本の絶縁被覆導体１３の電気導体１１を各絶縁セパレータ３２に設けられている導電性接続板３３の間にそれぞれ挿入する。そして、接続側板３１と側板１４とをネジ１５で緊締結合する。
【００４２】
次に、接続ユニット３０の他方側に上述と同様の方法でバスダクトユニット１０の接続端部１０ａを嵌合挿入し（図１１参照）、ネジ１５により接続側板３１と側板１４とを緊締結合する。
【００４３】
これにより、バスダクトユニット１０の側板１４の内側面１４ａに設けられた金属素地露出部分（図示せず）と接続側板３１の外側面３１ａに設けられた金属素地露出部分（図示せず）とが重合することにより、両者を電気的に接続することができ、バスダクトユニット１０相互のケースアース接続を接続ユニット３０を介して行うことができる。
【００４４】
そして、絶縁被覆付ボルト３４とナット３５を所定のトルク値まで締め付けることにより、側板１４、接続側板３１、電気導体１１、導電性接続板３３、絶縁セパレータ３２を一括緊締する。これにより、バスダクトユニット１０内の同相絶縁被覆導体１３は、相互に接続される。
【００４５】
次に、バスダクトユニット１０相互の接続部の開放部分に接続部カバー部材５０を装着する。図１２に示したように、接続部カバー部材５０を図中矢印方向より接続部の開放部分に覆い被せた後に、貫通穴５１を貫通するネジ部品４４によりアタッチメント４０のネジ穴４３と螺合し、固定装着する。
【００４６】
これにより、アタッチメント４０の頭部４２の上面４２ａは、接続部カバー部材５０の裏面５２と重合し、両者は電気的導通状態となる。尚、本実施の形態では、接続部カバー部材５０の裏面５２を非塗装状態として全体を金属素地面としたが、アタッチメント４０の頭部４２の上面４２ａが重合する範囲のみ金属素地面としても良い。尚、図１３は、接続を完了した状態を示している。
【００４７】
これにより、バスダクトユニット１０のバスダクトケースと接続部カバー部材５０とは、アタッチメント４０を介して電気的にアース接続をすることができ、接続部カバー部材５０のケースアースを取ることができる。すなわち、上記構成を有するアタッチメント４０をバスダクトケース２０に圧入嵌着することによって、従来より行われていた接続部分のマスキング塗装等を行うことなく、接続部カバー部材５０のケースアースを容易に行うことができる。
【００４８】
図１４は、上述の第１の実施の形態と形状を異にする類似構成のバスダクトケース２０を示す。図中（Ａ）に示したバスダクトケース２０は、補強部２５、２６が互いに接合するフランジ部２３、２４に互いに離反するように外方に延設する第１補強部２５ａ、２６ａと第１補強部２５ａ、２６ａの外側端から互いに対峙するようにフランジ部２３、２４と略平行に延設される第２補強部２５ｂ、２６ｂとからなる断面略Ｌ字状であって、上述の第１の実施の形態と異なり第３補強部を有せず、最外側部を開放する補強部である。アタッチメント４０は、第２補強部２５ｂ、２６ｂ間に圧入嵌着される。
【００４９】
図中（Ｂ）に示したバスダクトケース２０は、補強部２５、２６が第１の実施の形態の補強部と比較して、第３補強部２５ｃ及び２６ｃの内側端部を連結する係合部２７を有せず、第３補強部２５ｃ、２６ｃは互いに接続されていない。アタッチメント４０は、第１の実施の形態と同様に空間部２８内に圧入嵌着される。
【００５０】
また、上述の各バスダクトケース２０に用いられるアタッチメント４０は、上記構成に拘束されるものではなく、例えば図１５（Ａ）に示したように種々の変更が可能である。図示したように、アタッチメント４０の先端部４１には、ほぼ中央に突端４１ｂから頭部４２の方向に切り込まれたスリット４１ｄが設けられており、先端部４１の両側端面４１ａには、突端４１ｂ側が鋭角に形成された鋸刃形状に形成された鋸刃形状部４１ｅが突設されている。また、スリット４１ｄを間に介した鋸刃形状部４１ｅの距離は、第２補強部２５ｂ、２６ｂ間の距離よりも若干広めに形成されている。
【００５１】
したがって、アタッチメント４０が補強部２５、２６の空間部２８内に圧入嵌着された際に、先端部４１は横幅方向に狭められ、拡開方向のばね作用を有し、更に鋸刃形状部４１ｅが空間部２８の内面と係合することによって、より抜けにくくすることができる。また、両側端面４１ａに鋸刃形状部４１ｅは、空間部２８の内面に施された塗装面を剥ぎ取り、より積極的に金属素地面を露出させる作用をも有する。
【００５２】
図１４（Ｃ）に示したバスダクトケース２０は、補強部２５、２６が互いに接合するフランジ部２３、２４から互いに離反するように外方に延設する第１補強部２５ａ、２６ａと第１補強部２５ａ、２６ａの外側端からフランジ部２３、２４側に戻るようにフランジ部２３、２４と略平行に延設される第２補強部２５ｂ、２６ｂとからなる断面略Ｌ字状であって、収納凹部２２側が開放された閉断面形状を各々形成する。
【００５３】
また、図中（Ｄ）に示したバスダクトケース２０は、図中（Ｃ）の第２補強部の端部からフランジ部２３、２４に対して略垂直に接するように延設された第３補強部を有し、フランジ部２３、２４を間に介して１対の閉鎖空間部２８を形成する。
【００５４】
図中（Ｃ）、（Ｄ）のバスダクトケース２０に用いられるアタッチメント４０は、図１５（Ｂ）に示すように、先端部４１に突端４１ｂから頭部４２と接続する部分までに亘って先端部４１を中央から２分割するように設けられた空間部４１ｆと、先端部４１よりも幅が大きく形成され、幅方向に２箇所のネジ穴４３が形成されている頭部４２とを有する。
【００５５】
空間部４１ｆの幅は、フランジ部２３及び２４を接合した幅とほぼ等しく形成されており、フランジ部２３、２４を挿入できるように形成されている。アタッチメント４０は、空間部４１をフランジ部２３、２４に合わせてフランジ部２３、２４と第２補強部２５ｂ、２６ｂとの両方に接するように嵌着される。
【００５６】
したがって、図１４（Ｃ）、（Ｄ）のように形成されたバスダクトケース２０に図１５（Ａ）、（Ｂ）のように形成されたアタッチメント４０を用いて、第１の実施の形態と同様の作用効果を得ることができる。
【００５７】
尚、上述の説明においては、バスダクトユニット１０の接続の際にアタッチメント４０を圧入嵌着するように説明したが、予めバスダクトケース２０の組立時にアタッチメント４０を所定位置に配置して組み立て、アタッチメント４０の両側端面４１ａがバスダクトケース２０の内面２８に対して嵌着状態となるように構成しても良い。
【００５８】
次に、本発明の第２の実施の形態について、以下に説明する。本実施の形態において特徴的なことは、図２０に示した形状のバスダクトの接続部カバー部材のケースアースを、第１の実施の形態におけるアタッチメントを用いて行うことである。
【００５９】
以下に、図１６〜図１９を用いてその構成、作用及び効果について説明する。図１６は、バスダクトユニット相互を接続した接続部の要部破断平面図、図１７は、図１６の正面説明図、図１８は、図１６のＣ−Ｃ線矢視部の断面説明図である。
【００６０】
図示したように、バスダクトユニット６０は、絶縁被覆導体７０とケース本体６４とからなり、絶縁被覆導体７０は板状の導体７１に絶縁被覆７２を施した絶縁被覆導体７０を重畳的に複数本並べて、絶縁被覆導体７０の幅広面７０ａ側と接して支持する断面コ字型の一対のダクト側板６３とダクト側板６３の上下を接続固定する断面コ字型のダクト上面板６１及びダクト下面板６２とからなるケース本体６４の断面略矩形の空間部内に設けられている。
【００６１】
そして、ダクト側板６３の間には、絶縁被覆導体７０の幅狭面７０ｂと当接して絶縁被覆導体７０をケース本体６４内に支持するスペーサ６５が介在して設けられている。スペーサ６５は、ダクト側板６３を貫通して設けられたボルトとナット等の締着部品６７により支持され、ダクト上面板６１及びダクト下面板６２とは当接せず、その間に一定の間隙を形成する。また、バスダクトユニット６０の長手方向所定間隔毎に配置され、かつ所定強度を必要とされるバスダクトユニット６０の端縁部６０ａには、必ず配置されている。
【００６２】
接続部８０は、接続側板８１と、接続側板８１と導体７１との間及び異相の導体７１間を絶縁する絶縁セパレータ８２と、接続側板８１、絶縁セパレータ８２、導体７１を貫く絶縁被覆付ボルト８３及びナットとから構成されている。
【００６３】
アタッチメント４０は、第１の実施の形態とほぼ同形に形成され、先端部４１の幅はダクト側板６３相互の距離と等しい幅に形成されている。また、先端部４１の厚さはスペーサ６５とダクト上面板６１、ダクト下面板６２との間に形成される一定の間隙と等しいか若しくは若干狭く形成されている。
【００６４】
次に、バスダクト６０の接続方法について説明する。
【００６５】
まず最初に、アタッチメント４０をダクト側板６３、スペーサ６５、ダクト上面板６１若しくはダクト上面板６２に囲まれた閉鎖空間部６６に圧入嵌着して、アタッチメント４０の両側端面４１ａがケース側板６３の内面６３ａに対して電気的接合状態となるようにする。
【００６６】
ここで、例えば、ダクト側板６３の内面６３ａに塗装が施されていた場合でもアタッチメントの圧力嵌着により塗装皮膜は削り取られ、アタッチメント４０とダクト側板６３とは確実に電気的接合状態とすることができる。
【００６７】
次に、バスダクトユニット６０どうしを突き合わせて、絶縁被覆導体７０の同相の導体７１を重ね合わせて、異相の導体７１間及び最外側に位置する導体７１と接続側板８１との間にそれぞれ絶縁セパレータ８２を介在させる。
【００６８】
そして、接続部８０の絶縁被覆付ボルト８３及びナットを締め付けることにより一括緊締してバスダクトユニット６０どうしを接続する。これにより、バスダクトユニット６０の絶縁被覆導体７０どうしは電気的に接続され、ダクト上面板６１、ダクト下面板６２、ダクト側面板６３は接続側板８１を介してケースアース接続される。
【００６９】
次に、バスダクトユニット６０相互の接続部分に形成されている開放部分に接続部カバー部材９０を装着する。すなわち、接続部カバー部材９０を接続部の開放部分に覆い被せた後に、貫通穴９１を貫通するネジ部品４４によりアタッチメント４０のネジ穴４３と螺合し、固定装着する。
【００７０】
したがって、アタッチメント４０の頭部４２の上面４２ａは、接続部カバー部材９０の裏面９２と重合し、導電性を有する。以上により、バスダクトユニット６０のケース本体と接続部カバー部材５０とは、アタッチメント４０を介して電気的にアース接続する。すなわち、上記構成を有するアタッチメント４０を閉鎖空間部６６内に圧入嵌着し、アタッチメント４０に接続部カバー部材５０を緊締結合することにより、容易に接続部カバー部材９０のアース接続を行うことができる。
【００７１】
また、図１９に示したように、上述のスペーサ６５とアタッチメント４０とを一体に形成してもよい。ここで、アタッチメント４０は、先端部４１との接続部分に上面４２ａと略垂直をなす壁部４２ｂを有する頭部４２と、壁部４２ｂの下端中央位置より頭部４２側と離反する方向に突出しその左右両端を上方に垂直に屈曲した断面略Ｕ字型の先端部４１を有している。
【００７２】
この断面略Ｕ字型の先端部４１の両側端面４１ａ間の距離は、閉鎖空間６６を形成するダクト側板６３間と略同一距離に形成され、両側端面４１ａの高さは閉鎖空間６６内に嵌入可能な寸法か又はそれ以下に形成されている。そして、両側端面４１ａには、締着部品６７が貫通する貫通孔４１ｇが穿設されている。
【００７３】
このように形成されたアタッチメント４０は、バスダクトユニット６０の端縁部６０ａに設けられるスペーサ６５の代わりにアタッチメント４０の先端部４１を圧入嵌着し、締着部品６７によってダクト側板６３と共に共締めすることにより、堅固に位置決めされる。したがって、上述のアタッチメント４０と同様の作用効果を得ることができることに加えて、更にスペーサ６５と兼用することができるので、部品点数の削減による工程数の減少を図ることができ、コスト低減を図ることができる。
【００７４】
尚、上述の本発明にかかる各実施の形態において、バスダクトユニットの接続部分の上下が開放する構成を有するバスダクトの接続部を示したが、接続部の上、又は下の一方のみが開放するバスダクト構成の接続部にも、当然適用できるものである。また、本発明は、上記各実施の形態における構成に拘束されるものではなく、種々の組み合わせが可能である。
【００７５】
【発明の効果】
以上のように本発明にかかるバスダクト接地構造によれば、接続部カバー部材のアース接続を確実に行うことができ、バスダクトケースの電気的安全性を容易に確保することができる。また、アタッチメントを用いたことにより、接続部カバー部材が重合する部分のバスダクトケース側のマスキング塗装を不要とすることができる。更に、アタッチメントのバスダクトケースに対する取付作業が容易であることから、バスダクトの組立時における接続部カバー部材の取付作業性が向上し、工数の削減によりコスト低減を図ることが可能となる。
【図面の簡単な説明】
【図１】本発明の第１の実施の形態にて用いられるバスダクトユニットの断面説明図である。
【図２】バスダクトユニットを相互に接続する接続部分の分解斜視図である。
【図３】バスダクトユニットのバスダクトケース端縁部にアタッチメントを取り付ける状態を示す斜視図である。
【図４】図３に示したアタッチメントを取り付けたバスダクトユニットの全体斜視図である。
【図５】図４に示したバスダクトユニットを平面側より概略的に示した平面説明図である。
【図６】図４に示したバスダクトユニットを正面側より概略的に示した正面説明図である。
【図７】図５に示したバスダクトユニットの接続部分を拡大して示した要部破断説明図である。
【図８】バスダクトケースへのアタッチメントの嵌着状態を示した図７のＡ−Ａ線矢視部の断面説明図である。
【図９】バスダクトケースへのアタッチメントの嵌着状態を示した図７のＢ−Ｂ線矢視部の断面説明図である。
【図１０】バスダクトユニットの接続端部に接続ユニットの一方を嵌合挿入する状態を示した斜視説明図である。
【図１１】図１０に示した接続ユニットの他方側にバスダクトユニットを嵌合挿入する状態を示した斜視説明図である。
【図１２】接続部カバー部材を装着する状態を示した斜視説明図である。
【図１３】バスダクトユニットの接続を完了した状態を示した斜視説明図である。
【図１４】第１の実施の形態と形状を異にする類似構成のバスダクトケース２０を示す。
【図１５】アタッチメントの他の実施の形態を各々示した斜視説明図である。
【図１６】本発明の第２の実施の形態におけるバスダクトユニットの接続状態を示す要部破断説明図である。
【図１７】図１６に示した接続部を正面側より示した要部破断説明図である。
【図１８】図１６のＣ−Ｃ線矢視部の断面説明図である。
【図１９】アタッチメントの他の実施の形態を各々示した斜視説明図である。
【図２０】従来の実施の形態を示す斜視説明図である。
【符号の説明】
１０  バスダクトユニット
１３  絶縁被覆導体
２０  バスダクトケース
２２  収納凹部
２３、２４  フランジ部
２５、２６  補強部
２８  補強部内空間部
４０  アタッチメント
３０  接続ユニット
５０  接続部カバー部材
【図１】
0003628134.tif 000002
【図２】
0003628134.tif 000003
【図３】
0003628134.tif 000004
【図４】
0003628134.tif 000005
【図５】
0003628134.tif 000006
【図６】
0003628134.tif 000007
【図７】
0003628134.tif 000008
【図８】
0003628134.tif 000009
【図９】
0003628134.tif 000010
【図１０】
0003628134.tif 000011
【図１１】
0003628134.tif 000012
【図１２】
0003628134.tif 000013
【図１３】
0003628134.tif 000014
【図１４】
0003628134.tif 000015
【図１５】
0003628134.tif 000016
【図１６】
0003628134.tif 000017
【図１７】
0003628134.tif 000018
【図１８】
0003628134.tif 000019
【図１９】
0003628134.tif 000020
【図２０】
0003628134.tif 000021